(57)【特許請求の範囲】
【請求項１】
表示部と、
複数の使用者権限モードの各々に関し、当該使用者権限モードと当該使用者権限モードにおいて使用する言語とを対応付けた言語設定情報を記憶する記憶部と、
前記記憶部に記憶された言語設定情報に基づいて、前記使用者権限モードのうち使用する使用者権限モードに対応付けられた一の言語を用いて表示内容を構成し、構成した表示内容を前記表示部により表示する制御を行う制御部と、
ネットワークを介して外部端末と通信する通信部と、
を備え、
前記制御部は、前記通信部により前記外部端末からステータス情報又はデバイス設定情報の取得要求を受信した場合、受信したステータス情報又はデバイス情報が何れの使用者権限モードで取得要求されているかについて判別し、判別した使用者権限モード及び前記記憶部に記憶されている言語設定情報に基づいて、前記判別した使用者権限モードに対応付けられた一の言語を決定し、決定した言語で前記ステータス情報又は前記デバイス情報を閲覧するためのページを作成し、作成したページを前記通信部により前記外部端末に送信することを特徴とする表示装置。
【請求項２】
前記複数の使用者権限モードは、管理者モード、サービスマンモード、一般ユーザモードのうち、少なくとも二以上を含む請求項１に記載の表示装置。
【請求項３】
前記使用者権限モードを切り替えるための操作部を備え、
前記制御部は、前記操作部により切り替えられた使用者権限モード及び前記記憶部に記憶されている言語設定情報に基づいて、前記切り替えられた後の使用者権限モードに対応付けられた一の言語を決定する請求項１又は２に記載の表示装置。
【請求項４】
表示部と、
複数の使用者権限モードの各々に関し、当該使用者権限モードと当該使用者権限モードにおいて使用する言語とを対応付けた言語設定情報を記憶する記憶部と、
前記記憶部に記憶された言語設定情報に基づいて、前記使用者権限モードのうち使用する使用者権限モードに対応付けられた一の言語を用いて表示内容を構成し、構成した表示内容を前記表示部により表示する制御を行う制御部と、
ネットワークを介して外部端末と通信する通信部と、
を備え、
前記制御部は、前記通信部により前記外部端末からステータス情報又はデバイス設定情報の取得要求を受信した場合、受信したステータス情報又はデバイス情報が何れの使用者権限モードで取得要求されているかについて判別し、判別した使用者権限モード及び前記記憶部に記憶されている言語設定情報に基づいて、前記判別した使用者権限モードに対応付けられた一の言語を決定し、決定した言語で前記ステータス情報又は前記デバイス情報を閲覧するためのページを作成し、作成したページを前記通信部により前記外部端末に送信することを特徴とする画像形成装置。
【請求項５】
前記複数の使用者権限モードは、前記画像形成装置の管理を行うための権限を有する利用者が使用する管理者モード、前記画像形成装置の保守を行うための権限を有する利用者が使用するサービスマンモード、前記画像形成装置の一般機能を使用するための権限を有する利用者が使用する一般ユーザモードのうち、少なくとも二以上を含む請求項４に記載の画像形成装置。
【請求項６】
前記使用者権限モードを切り替えるための操作部を備え、
前記制御部は、前記操作部により切り替えられた使用者権限モード及び前記記憶部に記憶されている言語設定情報に基づいて、前記切り替えられた後の使用者権限モードに対応付けられた一の言語を決定する請求項４又は５に記載の画像形成装置。
【請求項７】
前記ステータス情報は、エラーの有無、トナー量、用紙量、メンテナンス時期を含む情報であり、
前記デバイス情報は、前記画像形成装置固有の設定を含む情報である請求項４に記載の画像形成装置。
【請求項８】
コンピュータを、
複数の使用者権限モードの各々に関し、当該使用者権限モードと当該使用者権限モードにおいて使用する言語とを対応付けた言語設定情報を記憶部により記憶する記憶手段、
ネットワークを介して外部端末と通信部により通信する通信手段、
前記記憶部に記憶された言語設定情報に基づいて、前記使用者権限モードのうち使用する使用者権限モードに対応付けられた一の言語を用いて表示内容を構成し、構成した表示内容を表示部により表示する制御を行うとともに、前記通信部により前記外部端末からステータス情報又はデバイス設定情報の取得要求を受信した場合、受信したステータス情報又はデバイス情報が何れの使用者権限モードで取得要求されているかについて判別し、判別した使用者権限モード及び前記記憶部に記憶されている言語設定情報に基づいて、前記判別した使用者権限モードに対応付けられた一の言語を決定し、決定した言語で前記ステータス情報又は前記デバイス情報を閲覧するためのページを作成し、作成したページを前記通信部により前記外部端末に送信する制御を行う制御手段、
として機能させるためのプログラム。
【請求項９】
前記複数の使用者権限モードは、管理者モード、サービスマンモード、一般ユーザモードのうち、少なくとも二以上を含む請求項８に記載のプログラム。
【請求項１０】
前記使用者権限モードを切り替えるための操作部により使用者権限モードを切り替える操作手段として機能させ、
前記制御手段は、前記操作手段により切り替えられた使用者権限モード及び前記記憶部に記憶されている言語設定情報に基づいて、前記切り替えられた後の使用者権限モードに対応付けられた一の言語を決定する制御を行う請求項８又は９に記載のプログラム。
【発明の詳細な説明】
【技術分野】
【０００１】
本発明は、表示装置、画像形成装置及びプログラムに関する。
【背景技術】
【０００２】
近年、ビジネスの国際化が日常的となっている中、オフィス内では各国の人がオフィスに設置された複数の画像形成装置を共有しながら業務を行う環境が一般的となっている。
こうした環境に対応するべく、画像形成装置には一般に、操作パネルに表示される表示言語を切り替えるための言語切り替え機能が設けられている。
【０００３】
ここで、特許文献１には、スキャナ機能、コピー機能、プリンタ機能、ファクシミリ機能等の機能ごとの待機画面に言語選択手段を設け、機能ごとに表示言語を設定し得る技術が開示されている。
【０００４】
また、特許文献２には、管理者による言語設定範囲と一般ユーザによる言語設定範囲とを個別に設定可能とする技術が開示されている。
【先行技術文献】
【特許文献】
【０００５】
【特許文献１】特開２００６−１５６２３号公報
【特許文献２】特開２００５−１９７９２３号公報
【発明の概要】
【発明が解決しようとする課題】
【０００６】
しかし、特許文献１に記載の技術では、機能ごとに表示言語を設定することはできるが、一般ユーザ、サービスマン、管理者といった、異なる使用者権限（或いは異なる使用目的）に応じて切り替えられるモードごとに表示言語を選択して設定することはできない。
【０００７】
また、特許文献２に記載の技術では、モードごとに表示言語を選択することはできるが、その態様としては、管理者モード内での表示言語をデフォルト言語として固定し、一般ユーザモード内では一般ユーザが逐一デフォルト言語を任意の表示言語に切り替える、というものである。よって、一般ユーザにとっては使い勝手が非常に悪く手間である。
【０００８】
本発明の課題は、使用者権限モードごとに表示言語を独立して個別に設定し得る表示装置、画像形成装置及びプログラムを提供することである。
【課題を解決するための手段】
【０００９】
本発明によれば、表示部と、
複数の使用者権限モードの各々に関し、当該使用者権限モードと当該使用者権限モードにおいて使用する言語とを対応付けた言語設定情報を記憶する記憶部と、
前記記憶部に記憶された言語設定情報に基づいて、前記使用者権限モードのうち使用する使用者権限モードに対応付けられた一の言語を用いて表示内容を構成し、構成した表示内容を前記表示部により表示する制御を行う制御部と、
ネットワークを介して外部端末と通信する通信部と、
を備え、
前記制御部は、前記通信部により前記外部端末からステータス情報又はデバイス設定情報の取得要求を受信した場合、受信したステータス情報又はデバイス情報が何れの使用者権限モードで取得要求されているかについて判別し、判別した使用者権限モード及び前記記憶部に記憶されている言語設定情報に基づいて、前記判別した使用者権限モードに対応付けられた一の言語を決定し、決定した言語で前記ステータス情報又は前記デバイス情報を閲覧するためのページを作成し、作成したページを前記通信部により前記外部端末に送信することを特徴とする表示装置が提供される。
【００１０】
また、本発明によれば、表示部と、
複数の使用者権限モードの各々に関し、当該使用者権限モードと当該使用者権限モードにおいて使用する言語とを対応付けた言語設定情報を記憶する記憶部と、
前記記憶部に記憶された言語設定情報に基づいて、前記使用者権限モードのうち使用する使用者権限モードに対応付けられた一の言語を用いて表示内容を構成し、構成した表示内容を前記表示部により表示する制御を行う制御部と、
ネットワークを介して外部端末と通信する通信部と、
を備え、
前記制御部は、前記通信部により前記外部端末からステータス情報又はデバイス設定情報の取得要求を受信した場合、受信したステータス情報又はデバイス情報が何れの使用者権限モードで取得要求されているかについて判別し、判別した使用者権限モード及び前記記憶部に記憶されている言語設定情報に基づいて、前記判別した使用者権限モードに対応付けられた一の言語を決定し、決定した言語で前記ステータス情報又は前記デバイス情報を閲覧するためのページを作成し、作成したページを前記通信部により前記外部端末に送信することを特徴とする画像形成装置が提供される。
【００１１】
また、本発明によれば、コンピュータを、
複数の使用者権限モードの各々に関し、当該使用者権限モードと当該使用者権限モードにおいて使用する言語とを対応付けた言語設定情報を記憶部により記憶する記憶手段、
ネットワークを介して外部端末と通信部により通信する通信手段、
前記記憶部に記憶された言語設定情報に基づいて、前記使用者権限モードのうち使用する使用者権限モードに対応付けられた一の言語を用いて表示内容を構成し、構成した表示内容を前記表示部により表示する制御を行うとともに、前記通信部により前記外部端末からステータス情報又はデバイス設定情報の取得要求を受信した場合、受信したステータス情報又はデバイス情報が何れの使用者権限モードで取得要求されているかについて判別し、判別した使用者権限モード及び前記記憶部に記憶されている言語設定情報に基づいて、前記判別した使用者権限モードに対応付けられた一の言語を決定し、決定した言語で前記ステータス情報又は前記デバイス情報を閲覧するためのページを作成し、作成したページを前記通信部により前記外部端末に送信する制御を行う制御手段、
として機能させるためのプログラムが提供される。
【発明の効果】
【００１２】
本発明によれば、使用者権限モードごとに独立して個別に設定しておき、使用する使用者権限モードに合致した表示言語を 用いて画面内容を構成してこれを表示することができる。よって、例えば管理者は、管理者モードに移行する度に表示言語を手動で切り替える必要はなく、また、管理者モード終了時に表示言語を手動で元に戻す手間を省くことができる。よって、管理者に煩雑な作業を要求することなく確実な装置の管理が可能となる。また、サービスマンも管理者同様、自己の使用者権限モード内の表示言語を任意の言語に予め設定しておくことにより、自己の使用者権限モードへの移行時に手動で表示言語の切り替えを行う手間を省くことができる。
【図面の簡単な説明】
【００１３】
【図１】システム構成を示す図である。
【図２】画像形成装置の機能ブロック図を示す図である。
【図３】基本処理を示すフロー図である。
【図４】初期画面表示処理を示すフロー図である。
【図５】初期画面の一例を示す図である。
【図６】管理者モード処理を示すフロー図である。
【図７】管理者モード画面の一例を示す図である。
【図８】サービスマンモード処理を示す図である。
【図９】サービスマンモード画面の一例を示す図である。
【図１０】言語選択画面の一例を示す図である。
【図１１】リクエスト返信処理を示すフロー図である。
【発明を実施するための形態】
【００１４】
本実施形態における画像形成装置について、図面を用いて詳細に説明する。なお、本発明は表示装置、画像形成装置及びプログラムに関するものであり、本実施形態ではその適用例として、画像形成装置を例に挙げて説明する。
【００１５】
図１に、システム構成を示す。
システム１００は、複数の画像形成装置１０及びＰＣ１１を備えて構成され、複数の画像形成装置１０及びＰＣ１１はネットワークＮによって通信可能に接続される。
【００１６】
画像形成装置１０は、例えばプリンタ機能、スキャナ機能、ＦＡＸ機能等の複数の機能を有するＭＦＰ（Multi Functional Printer）である。
また、ＰＣ１１は、一般的なＰＣ（Personal Computer）であって、ネットワークＮを介して画像形成装置１０にジョブを送信したり、画像形成装置１０から送信される各種情報を受信したりする。
ネットワークＮは、電話回線、専用線、移動体通信網、通信衛星網、ＣＡＴＶ回線等の様々な通信回線を適用可能なＬＡＮ（Local Area Network）である。なお、ＷＡＮ（Wide Area Network）やインターネット等の様々なネットワーク形態を適用してもよい。
【００１７】
図２に、画像形成装置１０の機能ブロック図を示す。
画像形成装置１０は、制御部１、記憶部２、通信部３、操作表示部４、画像読取部５、画像処理部６、印刷部７を備えて構成される。
【００１８】
制御部１は、ＣＰＵ、ＲＡＭ、ＲＯＭ等を備えて構成される。ＣＰＵは、ＲＯＭに記憶されている各種プログラムをＲＡＭに展開し、ＲＡＭに展開した各種プログラムとの協働により、画像形成装置１０の動作を統括的に制御する。
【００１９】
記憶部２は、ＨＤＤ（Hard Disk Drive）等を備えて構成され、各種プログラムや読取画像、ＦＡＸ画像、フォントデータ等を記憶する。また、本実施形態において、記憶部２は使用者権限モードごとに一の言語を定めた言語設定情報を記憶する。
【００２０】
ここで、「使用者権限モード」とは、使用目的又は使用権限に応じて切り替え可能な作業状態をいう。本実施形態では、一般ユーザのための「一般ユーザモード」、サービスマンのための「サービスマンモード」、及び管理者のための「管理者モード」、を例に挙げて説明するがこれに限られるものではない。又、以下において使用者権限モードを単にモードと称することがある。
なお、上記の各モードについて更に説明すると、一般ユーザモードとは、一般ユーザが画像形成装置１０の各種機能（例えば、コピー機能やＦＡＸ機能等）を通常の範囲内で使用する際のモードである。また、サービスマンモードとは、画像形成装置１０の製造業者等が画像形成装置１０の保守、修理点検等（以下、保守、修理、点検等を纏めてメンテナンス或いは保守と称することがある。）に必要な各種設定を行う際のモードである。また、管理者モードとは、画像形成装置１０のユーザのうち、当該画像形成装置１０の管理を行うための特別な権限を有する管理者のみに許された設定、例えば画像形成装置１０のネットワーク設定、セキュリティ設定等の各種設定を行う際のモードである。
【００２１】
通信部３は、ネットワークＮに接続されている他の画像形成装置１０又はＰＣ１１と各種情報の送受信を行う。また、通信部３は、ＵＳＢを介して各種情報の入出力を行うことも可能である。
【００２２】
操作表示部４は、ＬＣＤ（Liquid Crystal Display）又は有機ＥＬディスプレイを備え、ディスプレイ上には、透明電極を格子状に配置した感圧式（抵抗膜圧式）のタッチパネルを備えて構成される。
操作表示部４は、各種設定画面及び各種ボタン等を表示する（図６等参照）。画面上に表示されたボタンが手指やタッチペン等で押下された場合、操作表示部４は、押下された力点のＸＹ座標を電圧値で検出し、検出された位置に対応付けられた操作信号を制御部１に出力する。なお、タッチパネルは感圧式に限らず、例えば静電式や光式等であってもよい。また、操作表示部４は、表示画面外に各種ハードキーを備え、ハードキーが押下された場合、押下されたキーに対応付けられた操作信号を制御部１に出力する。
【００２３】
画像読取部５は、図示しない原稿台又は自動原稿搬送部（ＡＤＦ:Auto Document Feeder）に載置された原稿を図示しない光学系により読み取り画像データを生成する。
【００２４】
画像処理部６は、画像読取部５により生成された画像データに対し、ＲＯＭや記憶部２に予め記憶されている各種設定情報に基づいて画像処理する。画像処理には、例えばレベル補正処理、拡大／縮小処理、明るさ／コントラスト調整処理、シャープネス（鮮鋭化）処理、平滑化処理、色変換処理、トーンカーブ調整処理、フィルタ処理等がある。
【００２５】
印刷部７は、画像処理部６により画像処理された画像データを用紙に印刷する。
【００２６】
図３に、本実施形態に係る基本処理を示す。
なお、基本処理は、画像形成装置１０の電源がＯＮにされた際に実行される。
制御部１は、画像形成装置１０の電源がＯＮにされた場合、初期画面を操作表示部４に表示する（ステップＳ１）。
【００２７】
図４に、初期画面表示処理を示す。
制御部１は、ＲＯＭ又は記憶部２に予め記憶されている言語設定情報を読み込む（ステップＳ１１）。
制御部１は、読み込んだ言語設定情報により定まる一のデフォルト言語を用いて初期画面を構成する（ステップＳ１２）。
制御部１は、構成した初期画面を操作表示部４に表示して（ステップＳ１３）、初期画面表示処理を終了する。
【００２８】
制御部１は、初期画面において、各種の指示を受け付ける。各種の指示としては、言語選択、ジョブ設定、管理者モードへの移行、サービスマンモードへの移行、に関する指示がある。以下、図３を参照しつつ、各種の指示を受け付けた場合の処理について説明する。
【００２９】
図３に戻り、初期画面において「言語選択」の指示を受け付けた場合（ステップＳ２；Ｙ）、制御部１は、表示画面を初期画面から言語選択画面に切り替える（図示省略）。言語選択画面では、現在画面に表示されている言語を切り替えることができる。
【００３０】
言語選択画面において一の言語が選択された場合、制御部１は、選択された言語を表示言語として決定し、決定した言語に切り替えて表示画面を構成する（ステップＳ３）。
また、このとき制御部１は、現在のモード（例えば、一般ユーザモード）と表示言語とを対応付けた言語設定情報を更新又は生成し、ＲＯＭ又は記憶部２に記憶する。
その後、制御部１は、ステップＳ１０に移行する。
【００３１】
初期画面において「言語選択」が指示されない場合（ステップＳ２；Ｎ）、制御部１は、ステップＳ４に移行する。
【００３２】
初期画面において「ジョブ設定」の指示を受け付けた場合（ステップＳ４；Ｙ）、制御部１は、表示画面を初期画面からジョブ設定画面に切り替える（図示省略）。ジョブ設定画面では、印刷条件等を選択することができる。
【００３３】
ジョブ選択画面において印刷条件等が選択された場合、制御部１は、選択された条件でジョブを設定する（ステップＳ５）。
その後、制御部１は、ステップＳ１０に移行する。
【００３４】
初期画面において「ジョブ設定」が指示されない場合（ステップＳ４；Ｎ）、制御部１は、ステップＳ６に移行する。
【００３５】
初期画面において「管理者モード」への移行指示を受け付けた場合（ステップＳ６；Ｙ）、制御部１は、管理者モードに移行する（ステップＳ７）。
【００３６】
図５に、管理者モード処理を示す。
制御部１は、言語設定情報を読み込む（ステップＳ７１）。
制御部１は、読み込んだ言語設定情報に基づいて、言語設定情報により定まる一の管理者モード用の言語を用いて管理者モード画面を構成する（ステップＳ７２）。
制御部１は、構成した管理者モード画面を操作表示部４に表示する（ステップＳ７３）。
【００３７】
図６に、管理者モード画面Ｄ１を示す。
図６に示す管理者モード画面Ｄ１は、管理者モード用の言語として日本語が設定されている場合の画面である。
管理者モード画面Ｄ１には、管理者登録ボタン、ユーザ登録ボタン、環境設定ボタン、管理者用言語選択ボタン、セキュリティ設定ボタン、部門管理ボタン、Ｃｌｏｓｅボタン等の各種ボタンが押下可能に表示される。なお、Ｃｌｏｓｅボタンは、画面を閉じるときに押下されるボタンであって、管理者モード画面Ｄ１に限らず各種の画面において共通に使用されるボタンである。共通に使用されるボタンの例としては、Ｃｌｏｓｅのほか、例えばＯＮ、ＯＦＦ、ＯＫ等がある。共通に使用されるボタン上の表記は統一した方がわかりやすいため、ここでは英語表記に統一されている。ただし、必ずしもこれに限らず、表示言語に応じて切り替えるとしてもよい。
各種ボタンが押下された場合、押下されたボタンに対応付けられた遷移画面が表示される。
【００３８】
図５に戻り、制御部１は、管理者用言語選択ボタンが押下されたか否か判断する（ステップＳ７４）。
【００３９】
管理者用言語選択ボタンが押下されない場合（ステップＳ７４；Ｎ）、制御部１は、管理者モード内において各種設定を行う（ステップＳ７５）。各種設定とは、管理者登録、ユーザ登録、環境設定、セキュリティ設定、部門管理等の設定である（図６参照）。
その後、制御部１はステップＳ７９に移行する。
【００４０】
管理者用言語選択ボタンが押下された場合（ステップＳ７４；Ｙ）、制御部１は、押下後に遷移する言語選択画面（図７参照）において選択された言語がデフォルト言語であるか否か判断する（ステップＳ７６）。
【００４１】
図７に、管理者用言語選択ボタンが押下された後に遷移する言語選択画面Ｄ１１を示す。
言語選択画面Ｄ１１には、管理者モード用言語選択ボタン、ユーザモード用言語選択ボタン、Ｃｌｏｓｅボタン等が押下可能に表示される。また、現在設定されている表示言語がモードごとに表示される。言語選択画面Ｄ１１では、管理者モード用の言語として日本語が設定されており、一般ユーザモード用の言語としてドイツ語が設定されている。
なお、言語選択画面Ｄ１１において、例えば管理者モード用言語選択ボタンが押下されると、複数の言語の何れか一の言語を選択するための遷移画面が更に表示される。
【００４２】
図５に戻り、選択された言語がデフォルト言語である場合（ステップＳ７６；Ｙ）、制御部１は、管理者モード内での表示言語をデフォルト言語に変更し、変更したデフォルト言語に切り替えて表示画面を表示する（ステップＳ７７）。また、このとき制御部１は、現在のモード（管理者モード）とデフォルト言語とを対応付けて言語設定情報を更新又は生成し、ＲＯＭ又は記憶部２に記憶する。
【００４３】
選択された言語がデフォルト言語でない場合（ステップＳ７６；Ｎ）、制御部１は、管理者モード内での表示言語を新たに選択された言語に変更し、変更した言語に切り替えて表示画面を表示する（ステップＳ７８）。また、このとき制御部１は、現在のモード（管理者モード）と新たに選択された言語とを対応付けて言語設定情報を更新又は生成し、ＲＯＭ又は記憶部２に記憶する。
【００４４】
制御部１は、管理者モードを終了するか否か判断する（ステップＳ７９）。
管理者モードを終了しない場合（ステップＳ７９；Ｎ）、制御部１は、ステップＳ７１に移行する。
管理者モードを終了する場合（ステップＳ７９；Ｙ）、制御部１は、管理者モード処理を終了する。
【００４５】
図３に戻り、制御部１は、管理者モード処理（ステップＳ７）を終了した後、ステップＳ１０に移行する。
【００４６】
初期画面において「管理者モード」への移行が指示されない場合（ステップＳ６；Ｎ）、制御部１は、ステップＳ８に移行する。
【００４７】
初期画面において「サービスマンモード」への移行指示を受け付けた場合（ステップＳ８；Ｙ）、制御部１は、サービスマンモードに移行する（ステップＳ９）。
【００４８】
図８に、サービスマンモード処理を示す。
制御部１は、言語設定情報を読み込む（ステップＳ９１）。
制御部１は、読み込んだ言語設定情報に基づいて、言語設定情報により定まる一のサービスマン用の言語を用いてサービスマンモード画面を構成する（ステップＳ９２）。
制御部１は、構成したサービスマンモード画面を操作表示部４に表示する（ステップＳ９３）。
【００４９】
図９に、サービスマンモード画面Ｄ２を示す。
図９に示すサービスマンモード画面Ｄ２は、サービスマンモード用の言語として英語が設定されている場合の画面である。
サービスマンモード画面Ｄ２には、各種ボタンが押下可能に表示される。各種ボタンは、サービスマンがメンテナンスのために用いられる。
各種ボタンが押下された場合、押下されたボタンに対応付けられた遷移画面が表示される。
【００５０】
図８に戻り、制御部１は、サービスマン用言語選択ボタン（「Ｌａｎｇｕａｇｅｓ」ボタン）が押下されたか否か判断する（ステップＳ９４）。
【００５１】
サービスマン用言語選択ボタンが押下されない場合（ステップＳ９４；Ｎ）、制御部１は、サービスマンモードにおいて各種設定を行う（ステップＳ９５）。
その後、制御部１はステップＳ９９に移行する。
【００５２】
サービスマン用言語選択ボタンが押下された場合（ステップＳ９４；Ｙ）、制御部１は、押下後に遷移する言語選択画面（図１０参照）において選択された言語がデフォルト言語であるか否か判断する（ステップＳ９６）。
【００５３】
図１０に、サービスマン用言語選択ボタンが押下された後の言語選択画面Ｄ２１を示す。
言語選択画面Ｄ２１には、サービスマンモード用言語選択ボタン（「Ｓｅｒｖｉｃｅ  Ｍｏｄｅ  Ｌａｎｇｕａｇｅ」ボタン）、Ｃｌｏｓｅボタンが押下可能に表示される。また、現在の設定言語が表示される。言語選択画面Ｄ２１では、サービスマンモード用言語は英語（「Ｅｎｇｌｉｓｈ」）に設定されている。
なお、言語選択画面Ｄ２１において、例えばサービスマンモード用言語選択ボタン（「Ｓｅｒｖｉｃｅ  Ｍｏｄｅ  Ｌａｎｇｕａｇｅ」ボタン）が押下されると、複数の言語のうち何れか一の言語を選択するための遷移画面が更に表示される。
【００５４】
図８に戻り、選択された言語がデフォルト言語である場合（ステップＳ９６；Ｙ）、制御部１は、サービスマンモードでの表示言語をデフォルト言語に変更し、変更した言語に切り替えて表示画面を表示する（ステップＳ９７）。また、このとき制御部１は、現在のモード（サービスマンモード）とデフォルト言語とを対応付けて言語設定情報を更新又は生成し、ＲＯＭ又は記憶部２に記憶する。
【００５５】
選択された言語がデフォルト言語でない場合（ステップＳ９６；Ｎ）、制御部１は、サービスマンモード内での表示言語を新たに選択された言語に変更し、変更した言語に切り替えて表示画面を表示する（ステップＳ９８）。また、このとき制御部１は、現在のモード（サービスマンモード）と新たに選択された言語とを対応付けて言語設定情報を更新又は生成し、ＲＯＭ又は記憶部２に記憶する。
【００５６】
制御部１は、サービスマンモードを終了するか否か判断する（ステップＳ９９）。
サービスマンモードを終了しない場合（ステップＳ９９；Ｎ）、制御部１は、ステップＳ９１に移行する。
サービスマンモードを終了する場合（ステップＳ９９；Ｙ）、制御部１は、サービスマンモード処理を終了する。
【００５７】
図３に戻り、制御部１は、サービスマンモード処理（ステップＳ９）を終了した後、ステップＳ１０に移行する。
【００５８】
初期画面において「サービスマンモード」への移行が指示されない場合（ステップＳ８；Ｎ）、制御部１は、ステップＳ２に移行する。
【００５９】
制御部１は、スタートボタンが押下されたか否か判断する（ステップＳ１０）。
スタートボタンが押下されない場合（ステップＳ１０；Ｎ）、制御部１は、ステップＳ１に移行する。
スタートボタンが押下された場合（ステップＳ１０；Ｙ）、制御部１は、印刷処理を実行して（ステップＳ１１）、基本処理を終了する。
【００６０】
次に、図１１を参照して、ＰＣ１１からのリクエスト返信処理について説明する。
図１１に示すリクエスト返信処理によれば、画像形成装置１０は、ネットワークＮを介してＰＣ１１からステータス情報又はデバイス設定情報の取得要求があった場合、モードに適した言語を用いてステータス情報又はデバイス設定情報を表示するページを作成し、作成したページをＰＣ１１に返信することができる。
なお、「ステータス情報」とは、例えば、エラーの有無、トナー量、用紙量、メンテナンス時期等を示す情報である。また、「デバイス設定情報」とは、画像形成装置１０固有の詳細な設定情報である。
【００６１】
制御部１は、ＰＣ１１からステータス情報又はデバイス設定情報の取得要求を受信したか否か判断する（ステップＳ１ａ）。
取得要求を受信しない場合（ステップＳ１ａ；Ｎ）、制御部１は、取得要求があるまで待機する。
取得要求を受信した場合（ステップＳ１ａ；Ｙ）、制御部１は、管理者モードで取得要求されているか否か判断する（ステップＳ２ａ）。
【００６２】
なお、取得要求には、取得要求先（ＰＣ１１）のモード情報が含まれているものとする。例えば、ＰＣ１１が管理者モードのとき、取得要求先のモード情報は管理者モードとなる。このとき、制御部１は、管理者モードで取得要求されていると判断することになる。
【００６３】
管理者モードで取得要求されている場合（ステップＳ２ａ；Ｙ）、制御部１は、管理者モード用の言語を用いてステータス情報又はデバイス設定情報を示すページを作成する（ステップＳ３ａ）。
【００６４】
管理者モードで取得要求されていない場合（ステップＳ２ａ；Ｎ）、制御部１は、一般ユーザモード用の言語を用いてステータス情報又はデバイス設定情報を示すページを作成する（ステップＳ４ａ）。
【００６５】
制御部１は、ネットワークＮを介して、作成したページをＰＣ１１に返信し（ステップＳ５ａ）、リクエスト返信処理を終了する。
【００６６】
以上のように、本実施形態によれば、使用者権限モードごとに表示言語を設定して切り替えることができる。よって、例えば管理者は、管理者モード内の表示言語を任意の言語に予め設定しておくことができ、管理者モードに移行すれば、常に予め設定した言語により画面を閲覧することができる。また、管理者に限らず、サービスマンや一般ユーザも同様に、各モードでの表示言語を予め設定することができる。すなわち、各モードの使用者は、モード移行時に表示言語の切り替えを行う手間を省くことができるため、装置の利便性が向上する。
【００６７】
また、モードは、システム設定等の装置固有の設定について変更可能な管理者モード、メンテナンスに関する設定について変更可能なサービスマンモード、又はジョブ設定等の通常の使用の範囲での各種設定について変更可能な一般ユーザモード、の何れかである。
【００６８】
また、操作表示部４からモードの切り替え操作があった場合、切り替え後のモードで用いられる言語に自動的に切り替えて、表示画面を表示することができる。
【００６９】
また、ネットワークＮを介して、ＰＣ１１からステータス情報又はデバイス情報の取得要求があった場合、取得要求先のモードを判別し、判別したモードで用いられる言語を用いてステータス情報又はデバイス情報の閲覧用のページを作成し、作成したページをＰＣ１１に返信することができる。
【符号の説明】
【００７０】
１００  システム
１０    画像形成装置
１      制御部
２      記憶部
３      通信部
４      操作表示部
５      画像読取部
６      画像処理部
７      印刷部
１１    ＰＣ
【図１】
0005593986.tif 000002
【図２】
0005593986.tif 000003
【図３】
0005593986.tif 000004
【図４】
0005593986.tif 000005
【図５】
0005593986.tif 000006
【図６】
0005593986.tif 000007
【図７】
0005593986.tif 000008
【図８】
0005593986.tif 000009
【図９】
0005593986.tif 000010
【図１０】
0005593986.tif 000011
【図１１】
0005593986.tif 000012